(57)【要約】【課題】複数の運転モードを順番に表示して設定するリモコン装置で、設定した運転モードの解除操作が煩わしいものであった。【解決手段】機器の運転状態や設定状態を表示する表示部２と、各種運転状態を指示する各スイッチを備えた操作部３とを設けたリモコン装置１で、前記表示部２に複数の運転モードや各種設定を表示し、必要な運転モードや設定を選択するメニュー設定モードを設け、前記メニュー設定モードで運転モードのＯＮが選択された場合には、次のメニュー設定モードで先頭で表示するようにしたので、何回もスイッチを押す必要がなく、操作が容易で手間もかからないものであり、スイッチの数が少なくコンパクトなリモコン装置を実現出来るものである。【選択図】図４
2007336378.tif 000002
【特許請求の範囲】
【請求項１】
機器の運転状態や設定状態を表示する表示部と、各種運転状態を指示する各スイッチを備えた操作部とを設けたリモコン装置で、前記表示部に複数の運転モードや各種設定を表示し、必要な運転モードや設定を選択するメニュー設定モードを設け、前記メニュー設定モードで運転モードのＯＮが選択された場合には、次のメニュー設定モードで先頭で表示するようにした事を特徴とするリモコン装置。
【発明の詳細な説明】
【技術分野】
【０００１】
この発明は、給湯機等のリモコン装置に関するものである。
【背景技術】
【０００２】
従来よりこの種のリモコン装置では、各種運転モード毎にスイッチを有し、このスイッチのＯＮ、ＯＦＦで必要とする運転を機器に指示するものであり、リコモン装置には多数のスイッチ類が配置されているものであった。（例えば、特許文献１参照）
【特許文献１】特開平５−２２３２６７号公報
【発明の開示】
【発明が解決しようとする課題】
【０００３】
ところでこの従来のものでは、どうしてもスイッチの数が多くなり、場所を取ってコンパクト化の邪魔になるものであり、これを解決する為には、メニュースイッチを設けて複数の運転モードを表示しながら選択すれば良いのであるが、例えばメニュースイッチを５回押した所の運転モードをＯＮした場合、同じ運転モードＯＦＦするにはメニュースイッチを５回押さなければならず、その操作が煩わしく手間のかかるものになると言う新たな問題点を有するものであった。
【課題を解決するための手段】
【０００４】
この発明はこの点に着目し、上記欠点を解決する為、特にその構成を、機器の運転状態や設定状態を表示する表示部と、各種運転状態を指示する各スイッチを備えた操作部とを設けたリモコン装置で、前記表示部に複数の運転モードや各種設定を表示し、必要な運転モードや設定を選択するメニュー設定モードを設け、前記メニュー設定モードで運転モードのＯＮが選択された場合には、次のメニュー設定モードで先頭で表示するようにしたものである。
【発明の効果】
【０００５】
この発明によれば、メニュー設定モードで機器の作動を伴う運転モードを選択した場合には、次のメニュー設定モードでは先頭で表示されるので、何回もスイッチを押す必要がなく、操作が容易で手間もかからないものであり、スイッチの数が少なくコンパクトなリモコン装置を実現出来るものである。
【発明を実施するための最良の形態】
【０００６】
次にこの発明の一実施形態のリモコン装置を図面に基づき説明する。
１は電気給湯機等の機器（図示せず）を制御するリコモン装置で、液晶ディスプレーから成る表示部２と、該表示部２の表示内容を変更及び機器の運転を指示する操作部３とから構成されている。
【０００７】
前記操作部３には、ふろを自動的に沸き上げさせるふろ自動スイッチ４と、表示部２をメニュー設定モードに切替えると共に、運転モードを含む各種モードを押圧毎に順番に表示させるメニュースイッチ５と、該メニュースイッチ５の押圧で設定表示されたモードのＯＮとＯＦＦ、及び設定値の変更を行うアップ、ダウンスイッチ６、７が備えられ、このメニュースイッチ５とアップ、ダウンスイッチ６、７とではメニュー設定部８を構成するものである。
【０００８】
９はリモコン装置１に用いられるマイコンで、入力側にはふろ自動スイッチ４、メニュースイッチ５及びアップ、ダウンスイッチ６、７が接続され、出力側には表示変更部１０を介して表示部２が接続されていると共に、機器の駆動制御回路１１が接続されている。
【０００９】
前記表示変更部１０は、メニュー設定モードでメニュースイッチ５とアップ、ダウンスイッチ６、７によって、運転モードがＯＮされた場合に、この運転モードをメニュースイッチ５の押圧では最初にメニュー表示１２して設定変更が直ぐに出来るようにするもので、ここでは「ふろ予約運転」や「沸き増し運転」がＯＮされたことを記憶し、先頭でメニュー表示１２させるものであり、通常時のＯＦＦ時では、「現在時刻設定」→「沸き上げ設定」→「休止設定」→「ふろ予約運転ＯＦＦ」→「沸き増し運転ＯＦＦ」→再び「現在時刻設定」へと戻り、この表示を繰り返して設定可能としているもので、勿論この運転モード設定に応じてマイコン９からの制御信号で駆動制御回路１１が機器を運転制御するものである。
【００１０】
次にこの発明一実施形態の作動について、図４のメニュー設定モードのフローチャートに従って説明すれば、先ず運転モードを含む各種モードの設定を行う場合、ステップ１３で「運転モード」が作動状態か否かを判断し、ＮＯでステップ１４に進みメニュースイッチ５を順次押圧する毎に、「現在時刻設定」→「沸き上げ設定」→「休止設定」→「ふろ予約運転ＯＦＦ」→「沸き増し運転ＯＦＦ」と表示部２の上部に順次メニュー表示１２させる。
【００１１】
そして運転モードである沸き増し運転をＯＮにする為、「沸き増し運転ＯＦＦ」を表示状態でアップスイッチ６を押圧することで、沸き増し運転をＯＮしメニュー表示１２の表示を「沸き増し運転ＯＮ」の表示状態とするものであり、駆動制御回路１１の制御で機器は沸き増し運転を行うものである。
【００１２】
更にこの沸き増し運転を停止させる場合は、ステップ１３でＹＥＳとなってステップ１５に進み、運転モードのＯＮ状態が複数あるかを判断し、ＮＯでステップ１６に進みメニュースイッチ５の押圧で、表示変更部１０が沸き増し運転のＯＮ状態記憶によって、メニュー表示１２の運転モード表示を、「沸き増し運転ＯＮ」が先頭で表示されるようにし、その後は従来通り「現在時刻設定」→「沸き上げ設定」→「休止設定」→「ふろ予約運転ＯＦＦ」の順で表示されるものである。
【００１３】
従って、「沸き増し運転ＯＮ」を表示させた状態で、ダウンスイッチ７を押圧することにより、沸き増し運転はＯＦＦされ表示も「沸き増し運転ＯＦＦ」となるもので、メニュースイッチ５を何回も押圧する必要がなく操作が簡単で使用勝手が良いものである。
【００１４】
次に沸き増し運転のＯＮ状態の他にふろ予約運転もＯＮ状態とすると、ステップ１５でＹＥＳとなりステップ１７に進んで、運転モードのＯＮ状態が複数ある場合には、メニュースイッチ５の押圧で、表示変更部１０が最新の運転モード順に表示させ、「ふろ予約運転ＯＮ」→「沸き増し運転ＯＮ」→「現在時刻設定」→「沸き上げ設定」→「休止設定」と表示されるものであり、更に操作性の向上を図っているものである。
【図面の簡単な説明】
【００１５】
【図１】この発明一実施形態のリモコン装置を示す正面図。
【図２】同リモコン装置の電気回路を示す要部ブロック図。
【図３】同リモコン装置のメニュー設定モード状態を示す正面図。
【図４】同リモコン装置のメニュー設定モードを示すフローチャート。
【符号の説明】
【００１６】
１  リモコン装置
２  表示部
３  操作部
５  メニュースイッチ
６  アップスイッチ
７  ダウンスイッチ
【図１】
2007336378.tif 000003
【図２】
2007336378.tif 000004
【図３】
2007336378.tif 000005
【図４】
2007336378.tif 000006